(57)【要約】【課題】同軸ケーブルの取付け前の単体状態でも、同軸ケーブルの取付け後の状態でもピンの移動を確実に防止する簡潔構造の同軸ケーブル用プラグを提供する。【解決手段】本発明の同軸ケーブル用プラグ１０は、同軸ケーブル２０の芯線２１と接続するピン１１と、同軸ケーブル２０のシールド線２３と接続する管状形状のプラグケース１４と、管状形状のプラグケース１４の中に取付けられると共にピン１１が挿入される円筒形状のプラグ絶縁部１６とを備え、円筒形状のプラグ絶縁部１６は、ピン１１が挿入される円筒形状の中空部１７ｂにピン１１の端部を係止する凸部１８を設けることとした。【選択図】      図１
2004179131.tif 000002
【特許請求の範囲】
【請求項１】
同軸ケーブルの芯線と接続するピンと、前記同軸ケーブルのシールド線と接続する管状形状のプラグケースと、前記管状形状のプラグケースの中に取付けられると共に前記ピンが挿入される円筒形状のプラグ絶縁部とを備え、前記円筒形状のプラグ絶縁部は、前記ピンが挿入される円筒形状の中空部に前記ピンの端部を係止する凸部を設けたことを特徴とする同軸ケーブル用プラグ。
【請求項２】
前記ピンの端部は、外側に向け円錐形状に広がり、軸方向にスリット部を形成したことを特徴とする請求項１に記載の同軸ケーブル用プラグ。
【請求項３】
前記円筒形状のプラグ絶縁部は、後端部の外周に凸部を設けたことを特徴とする請求項１に記載の同軸ケーブル用プラグ。
【発明の詳細な説明】
【０００１】
【発明の属する技術分野】
本発明は、同軸ケーブルの取付け前の単体状態でも、同軸ケーブルの取付け後の状態でもピンの移動を確実に防止する簡潔構造の同軸ケーブル用プラグに関する。
【０００２】
【従来の技術】
同軸ケーブル用プラグは、同軸ケーブルが取付けられ、プリント基板などに実装されたジャックと接続して使用されている。
【０００３】
図５は、従来の同軸ケーブル用プラグと、その同軸ケーブル用プラグに取付けられる同軸ケーブルの一部を破断した側面図を示す。
【０００４】
従来の同軸ケーブル用プラグ５０は、管状形状のプラグケース５４と、プラグケース５４の中に圧入され取付けられる円筒形状のプラグ絶縁部５６と、円筒形状のプラグ絶縁部５６に設けられた中空部５７ａ、５７ｂに挿入されプラグ絶縁部５６に取付けられるピン５１とで構成されている。同軸ケーブル６０は、芯線６１の外側がケーブル絶縁部６２を介し網目状のシールド線６３で覆われ、さらにシールド線６３の外側は外装部６４で覆われている。同軸ケーブル６０の端部は、芯線６１が露出され、シールド線６３が折り返され折返部６３ａが形成されている。
【０００５】
同軸ケーブル用プラグ５０は、矢印Ｓに示すようにプラグケース５４に同軸ケーブル６０の端部が挿入され、プラグケース５４が後端側でかしめられ同軸ケーブル６０は同軸ケーブル用プラグ５０に固定され取付けられる。同軸ケーブル６０が取付けられたとき、ピン５１は同軸ケーブル６０の芯線６１と接続し、プラグケース５４は同軸ケーブル６０のシールド線６３と接続する。このように従来の同軸ケーブル用プラグ５０は、同軸ケーブル６０が固定され、プリント基板などに実装されたジャックと接続して使用される。
【０００６】
しかしながら、プラグ絶縁部５６の中空部５７ａ、５７ｂに挿入されたピン５１は、ピン５１の端部に形成された環状形状のピン固定部５２により外側方向に抜けることは防止されているが、ピン５１は内側方向にはプラグ絶縁部５６との摩擦で取付けられているため、同軸ケーブル６０を固定する組立の作業中や組立て前の移動中に内側方向に移動し抜けてしまうことがあり、さらに、同軸ケーブル６０を取付けた状態でジャックと接続するときなどに内側方向に移動してしまうことがあった。このピンの移動防止のために、絶縁部に設けられた中空部にピンのピン固定部が嵌合する溝を設けたりピンのピン固定部を絶縁部に埋設させたりするものがあるが（例えば、特許文献１）、溝の切削加工や一体成型などを必要とし、極めて複雑の製造を行わねばならないという問題があった。
【０００７】
【特許文献１】
特開平６−１６３１２０号公報
【０００８】
【発明が解決しようとする課題】
本発明は、上記の問題に鑑みてなされたものであって、同軸ケーブルの取付け前の単体状態でも、同軸ケーブルの取付け後の状態でもピンの移動を確実に防止する簡潔構造の同軸ケーブル用プラグを提供することを目的とする。
【０００９】
【課題を解決するための手段】
本発明の同軸ケーブル用プラグは、同軸ケーブルの芯線と接続するピンと、前記同軸ケーブルのシールド線と接続する管状形状のプラグケースと、前記管状形状のプラグケースの中に取付けられると共に前記ピンが挿入される円筒形状のプラグ絶縁部とを備え、前記円筒形状のプラグ絶縁部は、前記ピンが挿入される円筒形状の中空部に前記ピンの端部を係止する凸部を設けることとした。
【０００１０】
また、前記ピンの端部は、外側に向け円錐形状に広がり、軸方向にスリット部を形成することとした。
【００１１】
さらに、前記円筒形状のプラグ絶縁部は、後端部の外周に凸部を設けることとした。
【００１２】
【発明の実施の形態】
以下、本発明の実施の形態について図面を用い説明する。
【００１３】
図１は、本発明の実施の形態の同軸ケーブル用プラグの構造図を示し、図１（ａ）は、本発明の実施の形態の同軸ケーブル用プラグに同軸ケーブルが取付けられたときの一部を切り欠いた側面図を示し、図１（ｂ）は、本発明の実施の形態の同軸ケーブル用プラグに同軸ケーブルが取付けられたときの断面図を示す。
【００１４】
図１（ａ）に示すように、本発明の実施の形態の同軸ケーブル用プラグ１０は、管状形状のプラグケース１４と、プラグケース１４の中に圧入され取付けられる円筒形状のプラグ絶縁部１６と、円筒形状のプラグ絶縁部１６に設けられた中空部１７ａ、１７ｂに挿入されプラグ絶縁部１６に取付けられるピン１１とで構成されている。同軸ケーブル２０は、芯線２１の外側がケーブル絶縁部２２を介し網目状のシールド線２３で覆われ、さらにシールド線２３の外側は外装部２４で覆われている。同軸ケーブル２０の端部は、芯線２１が露出され、シールド線２３が折り返され折返部２３ａが形成されている。
【００１５】
ピン１１は、細長い管状形状でピン中空部１３を有し、端部にはピン１１がプラグ絶縁部１６に固定される環状形状のピン固定部１２が形成されている。
円筒形状のプラグ絶縁部１６は、ピン１１が内側から挿入される中空部１７ａ、１７ｂが形成されているが、中空部１７ａは、中空部１７ｂより小径となっており、中空部１７ｂには、ピン固定部１２を係止する凸部１８が形成されている。
【００１６】
プラグ絶縁部１６は比較的弾性のある樹脂で形成されているため、プラグ絶縁部１６の中空部１７ａ、１７ｂにピン１１を挿入し、ピン固定部１２を中空部１７ａの端部と凸部１８との間に容易に設置できる。
【００１７】
従って、ピン１１は、ピン固定部１２が中空部１７ａの端部と凸部１８との間に設置されるため、外側方向にはピン固定部１２が中空部１７ａの端部と係止し、内側方向にはピン固定部１２が中空部１７ｂの凸部１８と係止し、ピン１１の外側方向および内側方向への移動を防止することができる。
【００１８】
同軸ケーブル用プラグ１０は、同軸ケーブル２０が取付けられるとき、ピン１１は同軸ケーブル２０の芯線２１がピン中空部１３に挿入され、ピン１１先端がかしめられて芯線２１が固定され、ピン１１と同軸ケーブル２０の芯線２１とが接続する。また、図１（ａ）のＡＡ断面図である図１（ｂ）に示すように、プラグケース１４の突起部１５が矢印Ｐに示すように左右からかしめられ、同軸ケーブル２０は折返部２３ａの位置でプラグケース１４に固定され、プラグケース１４とシールド線２３とが接続する。
【００１９】
従って、同軸ケーブル用プラグ１０は、同軸ケーブル２０が取付けられたときもピン１１は、外側方向にはピン固定部１２が中空部１７ａの端部と係止し、内側方向にはピン固定部１２が中空部１７ｂの凸部１８と係止し、ピン１１の外側方向および内側方向への移動を防止することができる。
【００２０】
なお、ピン固定部１２を係止する凸部１８は、環状形状にすることも、山形の突形状とし中空部１７ｂの円周方向に連続的に複数配置することもできる。また、プラグ絶縁部１６は比較的弾性のある樹脂で形成するため、中空部１７ｂにピン固定部１２を係止する凸部１８が形成されていても、容易に樹脂成型を行うことができる。
【００２１】
図２は、本発明の実施の形態の同軸ケーブル用プラグが組立てられるときの工程図を示す。
【００２２】
図２（ａ）に示す工程では、ピン１１は、細長い管状形状でピン中空部１３を有し、後端には環状形状のピン固定部１２が形成され、円筒形状のプラグ絶縁部１６は、中空部１７ａ、１７ｂが形成され、中空部１７ｂには凸部１８が形成されている。プラグ絶縁部１６は、中空部１７ａ、１７ｂにピン１１が内側から挿入され、ピン固定部１２が中空部１７ａの端部と凸部１８との間に設置される。
【００２３】
図２（ｂ）に示す工程では、プラグケース１４は、先端側の側面にはピン１１の貫通穴１４ａが設けられ、後端側には突起部１５が設けられている。ピン１１が挿入されたプラグ絶縁部１６は、ピン１１が貫通穴１４ａを貫通し、プラグケース１４の中に圧入され同軸ケーブル用プラグが組立てられる。
さらに、図２（ｃ）に示す工程では、同軸ケーブル用プラグ１０は、同軸ケーブル２０の端部が挿入され、ピン１１のピン中空部１３に芯線２１が挿入された状態でピン１１の先端がかしめられて芯線２１がピン１１に固定され、プラグケース１４の突起部１５が図１（ｂ）に示すように左右からかしめられ、同軸ケーブル２０は折返部２３ａの位置でプラグケース１４に取付けられ固定される。
【００２４】
従って、同軸ケーブル用プラグ１０は、同軸ケーブル２０の取付け前の単体状態でも取付け後の状態でも、ピン１１は、ピン固定部１２が中空部１７ａの端部と凸部１８との間に設置されるため、外側方向にはピン固定部１２が中空部１７ａの端部と係止し、内側方向にはピン固定部１２が中空部１７ｂの凸部１８と係止し、ピン１１の外側方向および内側方向への移動を防止することができる。
【００２５】
図３は、本発明の実施の形態の同軸ケーブル用プラグに使用される他の実施例のピンの側面図を示す。
【００２６】
図３に示すように、他の実施例のピン３１は、細長い管状形状でピン中空部３３を有し、後端には円錐形状のピン固定部３２が形成されている。ピン固定部３２はピン３１の中心軸方向に沿って複数のスリット３４が形成されている。そのため、ピン３１は、図１に示す凸部１８が設けられたプラグ絶縁部１６の中空部１７ｂに挿入し易く、また、ピン固定部３２がより確実に凸部１８と係止しピン３１の内側方向への移動を防止することができる。
【００２７】
図４は、本発明の実施の形態の同軸ケーブル用プラグに使用される他の実施例のプラグ絶縁部の断面図を示す。
【００２８】
図４に示すように、他の実施例の円筒形状のプラグ絶縁部４６は、図１に示すピン１１が内側から挿入される中空部４７ａ、４７ｂが形成され、中空部４７ａは、中空部４７ｂより小径となっており、中空部４７ｂには、ピン固定用の凸部４８が形成されている。
【００２９】
さらに、プラグ絶縁部４６は、後端部の外周に環状形状の外側凸部４１が形成され、プラグ絶縁部４６の中心軸方向に沿って複数のスリット４４が形成されている。そのため、プラグ絶縁部１６は、図１に示すプラグケース１４に圧入されたとき、後端の外周が絞られプラグ絶縁部４６の外側凸部４１が中心方向に移動し、図１に示すピン１１のピン固定部１２がより確実に凸部４８と係止しピン１１の内側方向への移動を防止することができる。
【００３０】
なお、環状形状の外側凸部４１は、これに限定されることなく、プラグ絶縁部４６後端の外周に複数の凸部を形成したものとすることもできる。
【００３１】
以上のように、本発明の実施の形態の同軸ケーブル用プラグは、極めて複雑の製造を行うことなく、同軸ケーブルの取付け前の単体状態でも、同軸ケーブルの取付け後の状態でもピンの移動を確実に防止する簡潔構造とすることができる。なお、本発明の実施の形態の同軸ケーブル用プラグでは、同軸ケーブルを取付けるものとして説明したが、一般ケーブル用として使用することもできる。
【００３２】
【発明の効果】
本発明の同軸ケーブル用プラグは、同軸ケーブルの芯線と接続するピンと、前記同軸ケーブルのシールド線と接続する管状形状のプラグケースと、前記管状形状のプラグケースの中に取付けられると共に前記ピンが挿入される円筒形状のプラグ絶縁部とを備え、前記円筒形状のプラグ絶縁部は、前記ピンが挿入される円筒形状の中空部に前記ピンの端部を係止する凸部を設けることとしたため、同軸ケーブルの取付け前の単体状態でも、同軸ケーブルの取付け後の状態でも簡潔構造でピンの移動を確実に防止することができる。
【００３３】
また、前記ピンの端部は、外側に向け円錐形状に広がり、軸方向にスリット部を形成することとしたため、ピンがプラグ絶縁部の中空部に挿入し易くなり、また、ピン固定部がより確実に凸部と係止しピンの内側方向への移動を防止することができる。
【００３４】
さらに、前記円筒形状のプラグ絶縁部は、後端部の外周に凸部を設けることとしたため、プラグケースに圧入されたとき、ピン固定部がより確実に凸部と係止しピンの内側方向への移動を防止することができる。
【図面の簡単な説明】
【図１】本発明の実施の形態の同軸ケーブル用プラグの構造図を示し、図１（ａ）は、本発明の実施の形態の同軸ケーブル用プラグに同軸ケーブルが取付けられたときの一部を切り欠いた側面図を示し、図１（ｂ）は、本発明の実施の形態の同軸ケーブル用プラグに同軸ケーブルが取付けられたときの断面図を示す。
【図２】図２は、本発明の実施の形態の同軸ケーブル用プラグが組立てられるときの工程図を示す。
【図３】本発明の実施の形態の同軸ケーブル用プラグに使用される他の実施例のピンの側面図を示す。
【図４】本発明の実施の形態の同軸ケーブル用プラグに使用される他の実施例のプラグ絶縁部の断面図を示す。
【図５】従来の同軸ケーブル用プラグと、その同軸ケーブル用プラグに取付けられる同軸ケーブルの一部を破断した側面図を示す。
【符号の説明】
１０  同軸ケーブル用プラグ
１１、３１  ピン
１２、３２  ピン固定部
１３、３３  ピン中空部
１７ａ、１７ｂ  ４７ａ、４７ｂ  中空部
１４  プラグケース
１６、４６  プラグ絶縁部
１８、４８  凸部
２０  同軸ケーブル
２１  芯線
２２  ケーブル絶縁部
２３  シールド線
２３ａ  折返部
２４  外装部
３４、４４  スリット
４１  外側凸部
【図１】
2004179131.tif 000003
【図２】
2004179131.tif 000004
【図３】
2004179131.tif 000005
【図４】
2004179131.tif 000006
【図５】
2004179131.tif 000007